【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  被測定体に携帯されて被測定体の活動を測定する測定装置と、被測定体の生体検査結果を記憶している生体検査結果データベースと、測定装置と通信可能に接続されて測定装置によって測定された被測定体の活動データを処理するデータ処理装置とを有する健康管理システムであり、
前記測定装置は、
被測定体の体動を測定する手段と、
測定された体動から決まる被測定体の活動状態を表す活動データを記憶する活動データ記憶手段と、
被測定体を特定する識別情報を記憶する識別情報記憶手段と、
活動データ記憶手段に記憶されている活動データと識別情報記憶手段に記憶されている識別情報とをデータ処理装置に送信する手段とを有し、
前記生体検査結果データベースは、前記データ処理装置に接続され、被測定体の生体検査結果のデータを当該被測定体の識別情報と関連付けて記憶し、
前記データ処理装置は、
前記送信手段から送信された活動データと識別情報とを受信する手段と、
受信した活動データの処理結果と、その活動データと関連付けられた識別情報から特定される生体検査結果データベースの生体検査結果データとを併せて出力する手段とを有する健康管理システム。
【請求項２】  前記送信手段は所定期間内に記憶された活動データを送信し、前記出力手段はその活動データを処理して得られた所定期間内の被測定体の活動状態と、その所定期間の前後の生体検査結果データとを併せて出力することを特徴とする請求項１に記載の健康管理システム。
【請求項３】  出力される生体検査結果データが被測定体の体重データであることを特徴とする請求項２に記載の健康管理システム。
【請求項４】  前記検査結果データベースには被測定体の身長データがさらに記憶されており、前記出力手段は被測定体の身長データから算出される標準体重に基づいて設定された体重のランク分け図内に前記所定期間の前後の体重データを表示することを特徴とする請求項３に記載の健康管理システム。
【請求項５】  前記識別情報は被測定体が所属するグループを識別可能に設定されており、前記生体検査結果データベースにはグループに所属する各被測定体の生体検査結果データがそれぞれ記憶されており、前記出力手段は識別情報から特定されるグループの生体検査結果データの平均値をさらに出力することを特徴とする請求項１に記載の健康管理システム。
【請求項６】  前記データ処理装置には、識別情報を入力する手段と、入力された識別情報を測定装置に送信する手段をさらに有し、前記測定装置は、送信された識別情報を受信する手段と、受信した識別情報に前記識別情報記憶手段に記憶されている識別情報を置き換える手段とを有することを特徴とする請求項１に記載の健康管理システム。
【請求項７】  前記識別情報記憶手段に記憶されている識別情報は、前記置き換え手段によってのみ変更可能となっていることを特徴とする請求項６に記載の健康管理システム。
【請求項８】  前記測定装置は活動データ記憶手段に記憶される活動データには所定の間隔でカレンダデータを挿入する手段をさらに有し、
データ処理装置には、修正用のカレンダデータを作成する手段と、作成された修正用カレンダデータを測定装置に送信する手段とをさらに有し、
前記挿入手段はデータ処理装置から送信された修正用カレンダデータをもとにカレンダデータを修正すると共に活動データ記憶手段に記憶されている活動データを修正することを特徴とする請求項１に記載の健康管理システム。
【請求項９】  前記データ処理装置が、受信した活動データに基づいて、被測定体の活動状態を表現する図表を表示するための表示データを作成する手段をさらに有し、
その表示データ作成手段は、第１所定期間を複数の期間に分割することで設定される第２所定期間毎に、その第２所定期間内に測定された活動データのうち所定の活動強度を超える活動データが測定された時間を累積した累積時間を表示すると共にその累積時間が予め設定された閾値を超えるか否かを表示するための表示用データを作成することを特徴とする請求項１に記載の健康管理システム。
【請求項１０】  活動状態を表現する図表を表示可能なディスプレイと、前記表示用データ作成手段により作成された表示用データに基づいて、第２所定期間毎の累積時間と、それら累積時間が閾値を超えたか否かを表示するための識別表示とをディスプレイに表示する手段と、ディスプレイに表示されている複数の累積時間の１つを選択する手段と、選択手段により累積時間の１つが選択されたときに、その選択された累積時間に対応する第２所定期間内に測定された活動データの経時変化をディスプレイに表示する手段とをさらに有することを特徴とする請求項９に記載の健康管理システム。
【請求項１１】  前記データ処理装置が、受信した活動データに基づいて、被測定体の活動状態を表現する図表を表示するための表示データを作成する手段をさらに有し、
その表示データ作成手段は、第３所定期間を複数の期間に分割することで設定される第４所定期間毎に、その第４所定期間内に測定された活動データから算出される運動消費量又は歩数のグラフであって、そのグラフのバックグランド色が第４所定期間の運動消費量又は歩数の平均値を境界として異なるように表示するための表示データを作成することを特徴とする請求項１に記載の健康管理システム。
【請求項１２】  前記データ処理装置が、受信した活動データに基づいて、被測定体の活動状態を表現する図表を表すための表示データを作成する手段をさらに有し、
その表示データ作成手段は、第５所定期間を複数の期間に分割することで設定される第６所定期間毎に、その第６所定期間内に測定された活動データから算出される運動消費量又は歩数のグラフであって、そのグラフのバックグランド色が第６所定期間において必要とされる運動消費量又は歩数を境界として異なるように表示するための表示データを作成することを特徴とする請求項１に記載の健康管理システム。
【請求項１３】  表示データ作成手段は、第４所定期間又は第６所定期間毎に、その第４所定期間又は第６所定期間内に測定された活動データのうち所定の活動強度以上で所定時間以上連続している活動データ群が測定された回数をさらに表示するための表示データを作成することを特徴とする請求項１１又は１２に記載の健康管理システム。
【請求項１４】  前記データ処理装置が、受信した活動データに基づいて、被測定体の活動状態を表現する図表を表示するための表示データを作成する手段をさらに有し、
その表示データ作成手段は、第７所定期間を複数の期間に分割することで設定される第８所定期間毎に、その第８所定期間内に測定された活動データの経時変化を示すグラフと、その第８所定期間内に測定された活動データを予め設定された活動強度範囲に分類したときの活動強度範囲毎の累積時間を示すグラフを併せて表示するための表示データを作成することを特徴とする請求項１に記載の健康管理システム。
【請求項１５】  前記表示データ作成手段は、さらに各第８所定期間内に測定された活動データから算出される運動消費量及び／又は第７所定期間内に測定された活動データから算出される第８所定期間の平均運動消費量を併せて表示するための表示データを作成することを特徴とする請求項１４に記載の健康管理システム。
【請求項１６】  前記表示データ作成手段は、さらに第８所定期間内に測定された活動データの経時変化を示すグラフ内に所定の活動強度以上で所定時間以上連続している部位を識別するための印を併せて表示するための表示データを作成することを特徴とする請求項１４又は１５に記載の健康管理システム。
【請求項１７】  前記データ処理装置が、受信した活動データに基づいて、被測定体の活動状態を表現する図表を表示するための表示データを作成する手段をさらに有し、
その表示データ作成手段は、測定装置から送信された活動データを予め設定された所定時間で分割された第９所定期間毎にその第９所定期間内に測定された活動データから算出される運動消費量と歩数を、運動消費量と歩数の一方を縦軸とし他方を横軸としてプロットしたプロット図を表示するための表示データを作成することを特徴とする請求項１に記載の健康管理システム。
【請求項１８】  前記表示データ作成手段は、プロット図を目標歩数及び／又は目標運動消費量によって複数の領域に分割する分割線をさらに表示するための表示データを作成することを特徴とする請求項１７に記載の健康管理システム。
【請求項１９】  前記データ処理装置が、受信した活動データに基づいて、被測定体の活動状態を表現する図表を表示するための表示データを作成する手段をさらに有し、
その表示データ作成手段は、測定装置から送信された活動データを予め設定された所定時間で分割された第１０所定期間毎にその第１０所定期間内に測定された活動データから算出される活動時間と運動消費量を、活動時間と運動消費量の一方を縦軸とし他方を横軸としてプロットしたプロット図を表示するための表示データを作成することを特徴とする請求項１に記載の健康管理システム。
【請求項２０】  前記表示データ作成手段は、プロット図内にプロットされた点の回帰直線をさらに表示するための表示データを作成することを特徴とする請求項１９に記載の健康管理システム。
【請求項２１】  前記表示データ作成手段は、プロット図を目標運動消費量によって複数の領域に分割するための分割線をさらに表示するための表示データを作成することを特徴とする請求項２０に記載の健康管理システム。
【請求項２２】  前記データ処理装置が、受信した活動データのうち所定の活動強度を超えない状態が所定時間連続する期間の活動データを削除したものを用いて、被測定体の活動状態を示す健康管理データを算出する手段をさらに有することを特徴とする請求項１に記載の健康管理システム。
【請求項２３】  前記データ処理装置が、受信した活動データのうち所定期間の活動データから算出される歩数が所定の閾値を超えない当該所定期間の活動データを削除したものを用いて、被測定体の活動状態を示す健康管理データを算出する手段をさらに有することを特徴とする請求項１に記載の健康管理システム。
【請求項２４】  前記データ処理装置が、受信した活動データを累積して記憶する手段と、被測定体の活動状態を評価する期間を入力する手段と、記憶手段に記憶されている活動データを処理して、入力された評価期間内の被測定体の活動状態を算出する手段をさらに有し、
測定装置から送信される活動データには所定の間隔でカレンダデータが挿入されており、
算出手段は、記憶手段に記憶されているカレンダデータに基づいて入力された評価期間内に属する活動データを特定し、その特定された活動データを用いて被測定体の活動状態を算出することを特徴とする請求項１に記載の健康管理システム。
【請求項２５】  前記測定装置が、活動データ記憶手段に記憶されている活動データを経時変化で表示する手段をさらに有することを特徴とする請求項１に記載の健康管理システム。
【請求項２６】  前記表示手段は、活動データと時間の一方を縦軸とし他方を横軸とするグラフを表示し、そのグラフ内において活動強度が所定の閾値以下となる領域と、活動強度が所定の閾値を超える領域とを識別可能に表示することを特徴とする請求項２５に記載の健康管理システム。
【請求項２７】  前記表示手段は、活動強度が所定の閾値以下となる領域と、活動強度が所定の閾値を超える領域との境界を表示することを特徴とする請求項２６に記載の健康管理システム。
【請求項２８】  活動強度が所定の閾値以下となる領域のバックグラウンド色と、活動強度が所定の閾値を超える領域のバックグラウンド色の一方を濃い単一色で表示する一方、他方を淡い単一色で表示するとされている請求項２７に記載の健康管理システム。
【請求項２９】  前記表示手段による経時変化表示の開始時点を入力する手段をさらに有し、前記表示手段には入力された開始時点から所定期間内の活動データの強度が経時変化表示されることを特徴とする請求項２５から２８までのいずれかに記載の健康管理システム。